(57)【要約】【課題】  小部屋やブース等の閉域エリアが多数存在する施設内において、位置情報管理装置や位置検出装置等の外部装置の介在なしに、自端末が現在居る閉域エリア内に存在している同じグループの他端末に係る情報を表示する携帯端末を提供する。【解決手段】  定期的または非定期に、超音波または赤外線を搬送波とするビーコン信号に、自端末を識別するＩＤ情報を含めて送信し、送信したＩＤ情報を受信したならば、自端末はビーコン信号が反射する閉域エリアに存在していると判定し、その状態で、同一グループの他端末のＩＤ情報を受信したならば、自端末と同じ閉域エリアに存在している他端末または同じ閉域エリアに存在していない他端末に係る情報を表示する。【選択図】    図１
2018023016.tif 000002
【特許請求の範囲】
【請求項１】
所定の超音波または赤外線によるビーコン信号を送信または受信する携帯端末であって、
前記ビーコン信号に含めてＩＤ情報を送信するＩＤ送信手段と、前記ビーコン信号に含まれているＩＤ情報を受信するＩＤ受信手段と、１以上の他端末の各々を識別するＩＤ情報を登録する他端末ＩＤ登録手段と、を有し、
予め定められた定期的なタイミングが到来した場合または予め定められたイベントが発生した場合に、前記ＩＤ送信手段は自端末を識別するＩＤ情報を送信し、前記送信したＩＤ情報を前記ＩＤ受信手段が受信したならば、自端末は前記ビーコン信号が反射する閉域エリアに存在していると判定し、
自端末が前記閉域エリアに存在していると判定している状態で、前記ＩＤ受信手段が前記他端末ＩＤ登録手段に登録されているいずれかのＩＤ情報を受信したならば、前記受信したＩＤ情報に対応する他端末が自端末と同じ閉域エリアに存在している旨の情報または受信していないＩＤ情報に対応する他端末が自端末と同じ閉域エリアに存在していない旨の情報を、自端末が備える表示部に表示することを特徴とする閉域エリア内他端末情報表示機能を有する携帯端末。
【請求項２】
請求項１に記載の携帯端末において、自端末は音声を入力するマイクと音声を出力するスピーカを備える携帯端末であって、
前記ＩＤ送信手段は、前記超音波を搬送波とするビーコン信号を前記スピーカから送信し、前記ＩＤ受信手段は、前記マイクに入力した前記超音波を搬送波とするビーコン信号からＩＤ情報を抽出することを特徴とする閉域エリア内他端末情報表示機能を有する携帯端末。
【請求項３】
請求項１または２に記載の携帯端末において、
前記ＩＤ送信手段は、前記ＩＤ情報を送信する前に、前記ＩＤ受信手段を起動し、前記ＩＤ受信手段がいずれかの他端末が送信したビーコン信号を検知するか否かを判定し、検知しないと判定した場合に、前記ＩＤ情報を送信することを特徴とする閉域エリア内他端末情報表示機能を有する携帯端末。
【発明の詳細な説明】
【技術分野】
【０００１】
本発明は、特に、コンクリートや木材等で形成された閉域エリア内において、自端末の近傍に存在する他端末に係る情報を表示する携帯端末に関する。
【背景技術】
【０００２】
博物館やオフィス棟等の小部屋やブースが多数存在する施設内をグループで行動する場合、グループからのはぐれに留意する必要がある。そこで、自端末の現在位置を検知する機能や、集団からはぐれそうになった場合にアラームを発する携帯端末を所持していると安心である。
【０００３】
そのような携帯端末に関する技術として、位置検出が可能な携帯型情報端末、検出装置、位置情報管理装置から構成される位置情報管理システムに関する技術がある（例えば、特許文献１）。特許文献１に記載された携帯型情報端末は、自端末の識別情報を光や超音波により検出装置へ発信する。識別情報を受信した検出装置は、その受信強度に基づいて算出した相対位置情報を携帯型情報端末へ送信する。そして、携帯型情報端末は、検出装置から受信した自端末の相対位置情報を位置情報管理装置へ送信する。
【０００４】
しかしながら、この技術は、携帯型情報端末の現在位置を高精度に検出できる可能性があるものの、携帯型情報端末の現在位置を管理する位置情報管理装置や、携帯型情報端末から受信した信号の受信強度に基づいて相対位置情報を算出する検出装置が必要な分、システムとしての規模が大きく、柔軟性に欠ける。
【先行技術文献】
【特許文献】
【０００５】
【特許文献１】特開２００９−２５７８９０号公報
【発明の概要】
【発明が解決しようとする課題】
【０００６】
そこで、本発明の課題は、小部屋やブース等の閉域エリアが多数存在する施設内において、位置情報管理装置や位置検出装置等の外部装置の介在なしに、自端末が現在居る閉域エリア内に存在している同じグループの他端末に係る情報を表示する携帯端末を提供することにある。
【課題を解決するための手段】
【０００７】
上記課題を解決するために、本発明は、所定の超音波または赤外線によるビーコン信号を送信または受信する携帯端末であって、前記ビーコン信号に含めてＩＤ情報を送信するＩＤ送信手段と、前記ビーコン信号に含まれているＩＤ情報を受信するＩＤ受信手段と、１以上の他端末の各々を識別するＩＤ情報を登録する他端末ＩＤ登録手段と、を有し、予め定められた定期的なタイミングが到来した場合または予め定められたイベントが発生した場合に、前記ＩＤ送信手段は自端末を識別するＩＤ情報を送信し、前記送信したＩＤ情報を前記ＩＤ受信手段が受信したならば、自端末は前記ビーコン信号が反射する閉域エリアに存在していると判定し、自端末が前記閉域エリアに存在していると判定している状態で、前記ＩＤ受信手段が前記他端末ＩＤ登録手段に登録されているいずれかのＩＤ情報を受信したならば、前記受信したＩＤ情報に対応する他端末が自端末と同じ閉域エリアに存在している旨の情報または受信していないＩＤ情報に対応する他端末が自端末と同じ閉域エリアに存在していない旨の情報を、自端末が備える表示部に表示することを特徴とする。
【発明の効果】
【０００８】
本発明によれば、自端末が現在居る閉域エリア内に存在している同じグループの他端末に係る情報を表示する、グループ行動に好適な携帯端末を提供できる。しかも、位置情報管理装置や位置検出装置等の外部装置が不要な分、経済的であると共に、各人が所持する携帯端末だけで構成するシステムなので、博物館等のグループで行動する施設の制約が少なく、グループで行動する場所、グループ構成の設定，変更も柔軟である。
【０００９】
また、近傍の携帯端末の存在を検知するビーコン信号として、小部屋やブースを囲む壁面で反射する超音波または赤外線を搬送波としているので、壁面の外部に存在する携帯端末の存在を検知せず、当該閉域エリア内に存在している携帯端末のみを検知できる効果がある。
【図面の簡単な説明】
【００１０】
【図１】本発明の実施形態に係る携帯端末１を複数含む全体図
【図２】本発明の実施形態に係る携帯端末１の内部ブロック構成図
【図３】本発明の実施形態に係る携帯端末１の動作フローチャート
【発明を実施するための形態】
【００１１】
以下、本発明の実施形態について、図面を用いて説明する。図１は、本発明による携帯端末１を複数含む全体図である。まず、全体の構成と動作について説明する。ここで、携帯端末（以降、本端末または自端末と略すこともある）１は、グループで行動する各人が所持する端末である。本端末１は、例えば、携帯電話機、スマートホン，携帯型パーソナルコンピュータ等であって、通話機能または赤外線通信機能を具備する。
【００１２】
図１において、携帯端末１を所持してグループで行動する施設には閉域エリアとオープンエリアがあり、オープンエリアはロビー等の施設内の広いエリアまたは屋外であり、閉域エリアは境界の壁面を有する小部屋やブース等である。なお、閉域エリアは、完全に閉じられた空間ではなく、人が行き来するためのドアや開口部がある（図示せず）。なお、閉域エリアの境界を形成する壁面は、超音波または赤外線を反射（非透過）する素材（例えば、コンクリートや木材等）とする。
【００１３】
図１の例では、携帯端末１−１〜１−３を所持する者は閉域エリアに存在しており、携帯端末１−４〜１−６を所持する者はオープンエリアに存在している。そして、各携帯端末１は自携帯端末を識別するＩＤ情報を含むビーコン信号を送受信する機能を有する。また、携帯端末１−１〜１−６は同じグループとして紐づけられて登録されている。
【００１４】
ここで、ビーコン信号は、近傍に存在する携帯端末１間で、自端末を識別するＩＤ情報を相互に通知する信号であり、超音波または赤外線を伝送媒体（搬送波）としている。そして、定期的（例えば１分毎）または非定期（確認の操作が為された場合）に送信され、そのビーコン信号の受信により、近傍に存在する他携帯端末１の存在を検知する。このビーコン信号は、超音波または赤外線なので、閉域エリアとオープンエリアを隔てた壁面を反射し、閉域エリアとオープンエリア間での通信は不可で、閉域エリア内ではビーコン信号が反響（多重反射）する。
【００１５】
従って、オープンエリアで送信された無指向性のビーコン信号は、距離の二乗に反比例して減衰するので、極近傍（例えば、数ｍ以下）に存在する他携帯端末１のみ検知する。
【００１６】
これに対し、閉域エリアで送信された無指向性のビーコン信号は、壁面を多重反射し当該閉域エリア外に拡散し難いので、閉域エリア内のほぼ全域に伝達される可能性がある。また、ビーコン信号を送信した携帯端末１が壁面で反射したビーコン信号を受信することが可能であり、それによって、自端末が閉域エリア内に存在しているのか否かを判定できる。以下、超音波を伝送媒体とするビーコン信号（以下、超音波ビーコン信号）を例に説明する。
【００１７】
閉域エリア内に存在する携帯端末１−１，１−２，１−３は、壁面で反射した自端末が送信した超音波ビーコン信号を受信した場合、その受信タイミングおよび自端末のＩＤ情報が含まれていることから、壁面で反射した自端末が送信した超音波ビーコン信号を受信したことが分かる、即ち、自端末は閉域エリア内に存在していることが分かる。また、閉域エリア内の遠距離（例えば、１０数ｍ）に位置する携帯端末１−１と１−３は、直線的に到来した超音波ビーコン信号と壁面を反射して到来した多数の経路の超音波ビーコン信号を受信するので、遠距離の割に受信強度が大きく、相互に相手端末の存在が分かる。
【００１８】
なお、壁面を多重反射して到来する多数の経路の超音波ビーコン信号同士の相互干渉が発生するが、超音波ビーコン信号を連続的に複数回発信すれば、各携帯端末１を所持する者の移動により、各経路から受信する超音波ビーコン信号の各位相が遷移するので、それらが合成された受信超音波ビーコン信号からＩＤ情報を抽出できるタイミングがある。従って、自端末が閉域エリア内に存在していると判定した場合に、定期的または非定期な超音波ビーコン信号の各送信タイミングにおいて、超音波ビーコン信号を連続的に複数回発信することが望ましい。
【００１９】
オープンエリアに存在する携帯端末１−４，１−５，１−６は、超音波ビーコン信号が反射する壁面が殆ど存在しないので、自端末が送信した超音波ビーコン信号が自端末に殆ど戻らないことから、自端末はオープンエリアに存在していることが分かる。そして、距離の２乗に反比例して信号強度が減衰するので、近距離に位置する携帯端末１−４と１−５のみ、お互いの存在が分かる。
【００２０】
閉域エリア内に存在する携帯端末の内のオープンエリアに近い携帯端末１−３、およびオープンエリア内に存在する携帯端末の内の閉域エリアに近い携帯端末１−４は、距離が近傍であっても、壁面を通過しての超音波ビーコン信号の送受信が不可なので、お互いの存在を検知できない。
【００２１】
このように、壁面を反射するビーコン信号により各携帯端末１間でＩＤ情報を相互に通知するので、閉域エリア内に存在する各携帯端末１は、多少距離が離れていてもお互いの存在を検知でき、例えば、待合室等における集合状況の確認に好適である。また、オープンエリア内に存在する各携帯端末１は、極近傍の他端末しか検知しないので、グループ移動の際のはぐれ防止に好適である。
【００２２】
次に、本端末１の内部ブロック構成について詳細に説明する。本端末１は、端末制御部１００、自端末ＩＤ情報登録部１０１、他端末ＩＤ情報登録／記録部１０２、超音波信号発生部１０３、端末ＩＤ送信部１０４、スピーカ１０５、タイマー１０６、マイク１０７、端末ＩＤ受信部１０８、音声信号処理部１０９、表示部１１０、操作部１１１、無線通信部１１２から構成される。
【００２３】
端末制御部１００は、携帯端末１の全体を制御する手段である。端末制御部１００の動作フローについては後述する。
【００２４】
自端末ＩＤ情報登録部１０１は、本端末１を識別するＩＤ情報（本端末１に固有な自端末ＩＤ）を登録する手段である。登録されている自端末ＩＤは、端末制御部１００を介して端末ＩＤ送信部１０４に出力される。
【００２５】
他端末ＩＤ情報登録／記録部１０２は、自端末１と同じグループを構成する他携帯端末のＩＤ情報を登録すると共に、受信した他携帯端末のＩＤ情報を記録する手段である。端末制御部１００からの制御に基づいて、端末ＩＤ受信部１０８が受信したＩＤ情報、または操作部１１１から入力したＩＤ情報を他端末ＩＤとして登録または記録する。
【００２６】
超音波信号発生部１０３は、超音波ビーコン信号の伝送媒体（搬送波）として使用される超音波信号を発生させる手段である。端末制御部１００によって起動され、端末ＩＤ送信部１０４へ発生した超音波信号を出力する。
【００２７】
端末ＩＤ送信部１０４は、超音波信号発生部１０３から入力した超音波信号を、自端末ＩＤ情報登録部１０１に登録されている自端末ＩＤで変調し、自端末ＩＤ情報を含む超音波ビーコン信号としてスピーカ１０５へ出力する。
【００２８】
スピーカ１０５は、一般的な音声出力手段である。端末ＩＤ送信部１０４から入力した超音波ビーコン信号、または音声信号処理部１０９から入力した音声信号を音波として再生し空間へ出力する。なお、スピーカ１０５が出力する音波の周波数帯は、超音波領域までフラットな特性であることが望ましいが、一般的な可聴帯（〜２０ｋＨｚ程度）用のスピーカであっても、超音波帯の音波を再生し、近傍端末間の超音波通信に適用できる程度の超音波は出力できる。
【００２９】
タイマー１０６は、日付，時刻情報の提示および所定のタイミングからスタートして経過時間をカウントする手段である。
【００３０】
マイク１０７は、一般的な音声入力手段であり、入力した通話音声や周囲音等の音波を電気的な音声信号に変換して、音声信号処理部１０９および端末ＩＤ受信部１０８へ出力する。なお、マイク１０７に入力する音波の有効周波数帯は、超音波領域までフラットな特性であることが望ましいが、一般的な可聴帯（〜２０ｋＨｚ程度）用のマイクであっても、近傍端末間の超音波通信に適用できる程度の超音波は入力できる。
【００３１】
端末ＩＤ受信部１０８は、マイク１０７から入力した音声信号から超音波帯域の超音波ビーコン信号を帯域フィルタ（図示せず）で抽出し、抽出した超音波ビーコン信号を復調し、端末制御部１００を介して超音波ビーコン信号に含まれているＩＤ情報を他端末ＩＤ情報登録／記録部１０２へ出力する。
【００３２】
音声信号処理部１０９は、通話音声の符号化や復号化等の信号処理を実行する手段である。
【００３３】
表示部１１０は、各種の情報を表示する手段であり、ＬＣＤ（Liquid Crystal Display），ＥＬ（Electro-Luminescence）等の各種表示デバイスが適用可能である。操作部１１１は、携帯端末１を操作する手段であり、キーボード，タブレット，マウス等の各種操作デバイスが適用可能である。なお、表示部１１０と操作部１１１は、入力表示一体型のデバイスであってもよい。
【００３４】
無線通信部１１２は、無線通信ネットワーク（携帯電話網，無線ＬＡＮ等）を介して通信する手段である。
【００３５】
図３は本端末１の動作フローチャートである。以下、図１，図２を併用して、本端末１の動作フローを説明する。本フローは本端末１の電源が投入された状態からスタートし（Ｓ３００）、待機状態において、他携帯端末のＩＤ情報の登録操作／削除操作があったか否か（Ｓ３１０）、確認のタイミングが到来したか否か（Ｓ３２０）、端末ＩＤの送信要求を送信／受信したか否か（Ｓ３４０）の各イベントの有無の判定を繰り返す。
【００３６】
Ｓ３１０において、操作部１１１より他携帯端末のＩＤ情報の登録操作または削除操作があった場合（Ｓ３１０，ＹＥＳ）、端末制御部１００は、端末ＩＤ送信部１０４を制御し、自端末ＩＤ情報登録部１０１に登録されている自端末のＩＤ情報を含む超音波ビーコン信号を、スピーカ１０５から送信し（Ｓ３１１）、Ｓ３１２へ進む。
【００３７】
なお、超音波ビーコン信号を送信する際、マイク１０７に入力する超音波信号を監視し、送信しようとしている超音波ビーコン信号と同一周波数帯の超音波を検知していない状態のタイミングで当該超音波ビーコン信号を送信する（所謂キャリアセンス方式と同様の、同一帯域帯の信号衝突の回避策）。
【００３８】
Ｓ３１２において、他携帯端末のＩＤ情報を含む超音波ビーコン信号を受信、またはＩＤ情報を指定する操作が操作部１１１より為された場合（Ｓ３１２，ＹＥＳ）、受信したまたは指定された他携帯端末のＩＤ情報を、同じグループの端末ＩＤとして他端末ＩＤ情報登録／記録部１０２に登録する、または登録済のＩＤ情報を削除し（Ｓ３１３）、Ｓ３１４へ進む。Ｓ３１２でＮＯであれば、Ｓ３１３をスキップしてＳ３１４へ進む。
【００３９】
Ｓ３１４において、操作部１１１より終了の操作が為された場合（Ｓ３１４，ＹＥＳ）、Ｓ３１０へ戻る。Ｓ３１４でＮＯであれば、Ｓ３１１へ戻り、Ｓ３１１以降の処理を繰り返す。
【００４０】
以上説明したＳ３１０でＹＥＳのスレッドにより、本端末１を所持するグループの各人が集結し（例えば、集合時）、一斉に他端末ＩＤの登録操作をすれば、各端末は各端末固有の端末ＩＤを順次送信する。そして、その端末ＩＤを受信した各端末は、受信した端末ＩＤを同じグループの端末ＩＤとして自動的に登録できるので、自端末１と同一グループの他端末ＩＤの登録が極めて簡単である。同様に、一斉に他端末ＩＤの削除操作をすれば（例えば、解散時）、登録済みのＩＤ情報の削除が極めて簡単である。なお、予め蓄積済みのデータベース（図示せず）から新たな他端末ＩＤを同一グループとして追加することも可能である。
【００４１】
Ｓ３２０において、定期的な確認タイミング（例えば１０分毎）が到来した場合、または操作部１１１より確認の操作が為された場合（Ｓ３２０，ＹＥＳ）、タイマー１０６を起動し（例えば１分）、送信しようとしている超音波ビーコン信号と同一周波数帯の超音波を検知していない状態のタイミングで、自端末のＩＤ情報を含む超音波ビーコン信号を、スピーカ１０５から送信し（Ｓ３２１）、Ｓ３２２へ進む。なお、自端末のＩＤ情報を確実に送信するために、送信する超音波ビーコン信号に自端末のＩＤ情報を複数個含ませてもよいし、自端末のＩＤ情報を含む超音波ビーコン信号を複数回送信するようにしてもよい。
【００４２】
Ｓ３２２において、自端末のＩＤ情報を含む超音波ビーコン信号を受信した場合（Ｓ３２２，ＹＥＳ）、Ｓ３２１で送信した超音波ビーコン信号が壁等で反射して戻ったものなので、自端末は超音波ビーコン信号が反射する閉域エリア内に存在していると判定し（Ｓ３２３）、Ｓ３２４へ進む。この判定結果をユーザへ提示するために、自端末は閉域エリア内に存在している旨の情報を表示部１１０に表示してもよい（図示せず）。なお、自端末のＩＤ情報は複数回受信してもよい。Ｓ３２２でＮＯであれば、Ｓ３２３をスキップしてＳ３２４へ進む。
【００４３】
Ｓ３２４において、他端末ＩＤ情報登録／記録部１０２に登録されている他携帯端末のＩＤ情報を含む超音波ビーコン信号を受信した場合（Ｓ３２４，ＹＥＳ）、受信した他端末ＩＤと、その受信日時を他端末ＩＤ情報登録／記録部１０２へ記録し（Ｓ３２５）、Ｓ３２６へ進む。Ｓ３２４でＮＯであれば、Ｓ３２５をスキップしてＳ３２６へ進む。
【００４４】
Ｓ３２６において、Ｓ３２１で起動したタイマー１０６が満了した場合（Ｓ３２６，ＹＥＳ）、Ｓ３２７へ進む。Ｓ３２６でＮＯであれば、Ｓ３２４へ戻り、以降の処理を繰り返す。
【００４５】
Ｓ３２７において、Ｓ３２３で自携帯端末は閉域エリア内に存在していると判定した場合（Ｓ３２７，ＹＥＳ）、受信した他端末ＩＤ（自端末と同じ閉域エリアに存在している他携帯端末のＩＤ情報）または未受信な他端末ＩＤ（自端末と同じ閉域エリアに存在していない他端末ＩＤ情報）に係る情報を表示部１１０に表示し（Ｓ３２８）、Ｓ３１０へ戻る。Ｓ３２７でＮＯであれば、Ｓ３３０へ進む。
【００４６】
Ｓ３３０において、他端末ＩＤ情報登録／記録部１０２に記録されている受信した他端末ＩＤの数をカウントし、受信端末ＩＤ数がＫ（例えば、グループ端末数／１０）以下であった場合（Ｓ３２８，ＹＥＳ）、自携帯端末がグループの集団からはぐれた可能性がある旨のアラームを表示部１１０に表示し（Ｓ３３１）、Ｓ３１０へ戻る。なお、アラームを表示することに加え、無線通信部１１２を起動し、携帯電話網，無線ＬＡＮ等の無線通信ネットワークを介して、ヘルプ情報等をいずれかの他携帯端末へ自動的に送信するようにしてもよい（図示せず）。Ｓ３３０でＮＯであれば、Ｓ３３１をスキップして、Ｓ３１０へ戻る。
【００４７】
Ｓ３４０において、近傍の他携帯端末に対して端末ＩＤの送信を要求する端末ＩＤ送信要求操作が為された場合、または自端末に対して端末ＩＤの送信を要求する  端末ＩＤ送信要求コマンドを受信した場合（Ｓ３４０，ＹＥＳ）、端末ＩＤ送信要求コマンドの受信ならば（Ｓ３４１，ＹＥＳ）、Ｓ３２１へ進み、先に説明したＳ３２１以降の処理を実行する。端末ＩＤの送信要求操作ならば（Ｓ３４１，ＮＯ）、近傍の他携帯端末へ端末ＩＤ送信要求コマンドを送信し、Ｓ３１０へ戻る。
【００４８】
以上説明した通り、本端末１を所持してグループ行動する場合、Ｓ３２０でＹＥＳのスレッドにより、各携帯端末間で定期的な確認タイミングが到来する毎に端末ＩＤを相互に送受信するので、はぐれた可能性を自動的に検知する事が出来る。また、Ｓ３４０でＹＥＳのスレッドにより、前記確認タイミング以外の任意のタイミングで、近傍の他携帯端末（同一グループ）の存在状況を確認する事が出来る。特に閉域エリアにおいて、超音波ビーコン信号は多重反射して比較的遠方まで届くので、例えば、混雑している展示室等で、グループの仲間の存在を検知する場合に有効である。なお、オープンエリアにおいても、本端末１がはぐれ防止に有効であることは言うまでもない。
【００４９】
以上、本発明の一実施の形態について説明した。本実施形態によれば、自端末が現在居る閉域エリア内に存在している同じグループの他端末に係る情報を表示する、グループ行動に好適な携帯端末を提供できる。しかも、位置情報管理装置や位置検出装置等の外部装置が不要な分経済的であると共に、各人が所持する携帯端末だけで構成するシステムなので、博物館等のグループで行動する施設の制約が少なく、グループ構成の設定，変更も柔軟である。
【００５０】
また、近傍の携帯端末の存在を検知するビーコン信号として、小部屋やブースを囲む壁面で反射する超音波または赤外線を搬送波としているので、壁面の外部に存在する携帯端末の存在を検知せず、当該閉域エリア内に存在している携帯端末のみを検知できる効果がある。さらに、登録するグループの端末ＩＤを細分化し、サブグループ単位に、近傍の在／不在を確認できるようにしてもよい。
【符号の説明】
【００５１】
１・・・本発明による閉域エリア内他端末情報表示機能を有する携帯端末
１００・・・端末制御部
１０１・・・自端末ＩＤ情報登録部
１０２・・・他端末ＩＤ情報登録／記録部
１０３・・・超音波信号発生部
１０４・・・端末ＩＤ送信部
１０５・・・スピーカ
１０６・・・タイマー
１０７・・・マイク
１０８・・・端末ＩＤ受信部
１０９・・・音声信号処理部
１１０・・・表示部
１１１・・・操作部
１１２・・・無線通信部
【図１】
2018023016.tif 000003
【図２】
2018023016.tif 000004
【図３】
2018023016.tif 000005